(57)【特許請求の範囲】
【請求項１】
裏面に被検者の体軸方向の移動を規制する摺動手段を設け且つ被検者の体軸方向に対して直角方向に駆動手段により移動可能とした天板と、
裏面に被検者の体軸方向の移動を規制する摺動手段を設け且つ被験者の体軸方向に対して直角方向に駆動手段により移動可能とした枠板上を、駆動手段により被検者の体軸方向に相対的に往復移動する天板と、
前記被検者の体軸方向に対して直角方向に駆動手段により移動可能とした天板か、被検者の体軸方向に対して直角方向に移動可能とした枠板上を被検者の体軸方向にスライドする天板か、のいずれかの天板を着脱可能に載置し、被検者の体軸方向に対して直交する方向に前記天板または／および枠板の移動を可能とする駆動手段を備えた主枠と、を備えて成ることを特徴とするＸ線透視撮影台。
【発明の詳細な説明】
【０００１】
【発明の属する技術分野】
この発明は、Ｘ線透視撮影台、特に被検者を載せる天板を上下方向と左右方向に移動させる場合、その移動方向により天板部分を交換することのできるＸ線透視撮影台に関する。
【０００２】
【従来の技術】
Ｘ線透視撮影台は、図７（Ａ）、（Ｂ）に示すように、ベ−ス１と、該ベ−ス１に起倒回転可能に保持された主枠２と、該主枠２の上部に被検者を載せる天板３と、主枠２に立設された支柱５の上部に装着され被検者にＸ線を照射するＸ線管４と、天板３の下側に設置される速写装置６等により構成されている。
このようなＸ線透視撮影台において、被検者を載せる天板３の機能は、図８に示すように、被検者Ｍを体軸に対して直交する方向（以下、体軸に対して直交する方向を左右方向とする）に移動させる左右動方式（２ｗａｙｓ）と、左右方向及び体軸方向（以下、体軸方向を上下方向とする）に移動させる上下左右動方式（４ｗａｙｓ）とがある。
【０００３】
【発明が解決しようとする課題】
上記するようにＸ線透視撮影台には、２方向にのみ移動可能な天板を有するものと、４方向に移動可能な天板を有するものとの２種類がある。従って、被検者を透視撮影する場合、左右方向にのみ撮影可能な２ｗａｙｓ方式のＸ線透視撮影台を設置している診療機関において、上下方向に撮影する必要が生じた場合には改めて４ｗａｙｓ方式のＸ線透視撮影台を導入して撮影しなければならない。一方、４ｗａｙｓ方式のＸ線透視撮影台を設置しておいて、２ｗａｙｓ方式のみ使用するのは無駄な機能を保有することになる。このように撮影方式をいずれの方向にも移動可能なＸ線透視撮影台が必要な場合には、２ｗａｙｓ方式と４ｗａｙｓ方式とでは本体構造が根本的に異なっているため２種類のＸ線透視撮影台が必要となり、簡略化やコストダウンの妨げとなっている。
【０００４】
この発明は上記する課題に対処するためになされたものであり、本体構造を変更することなく撮影の多様化に対応できるよう２ｗａｙｓ方式でも４ｗａｙｓ方式でも撮影が可能であり、且つコストダウンを図ることのできるＸ線透視撮影台を提供することを目的としている。
【０００５】
【課題を解決するための手段】
即ち、上記する課題を解決するために、請求項１に記載の発明は、Ｘ線透視撮影台が、裏面に被検者の体軸方向の移動を規制する摺動手段（１５，１５及び１８）を設け且つ被検者の体軸方向に対して直角方向に駆動手段（１３）により移動可能とした天板（１１）と、
裏面に被検者の体軸方向の移動を規制する摺動手段（１５，１５及び１８）を設け且つ被験者の体軸方向に対して直角方向に駆動手段（１３）により移動可能とした枠板（２２）上を、駆動手段（２４、２５、２４ｐ、２５ｐ，２６，２７，２８，２９）により被検者の体軸方向に相対的に往復移動する天板（２１）と、
前記被検者の体軸方向に対して直角方向に駆動手段により移動可能とした天板（１１）か、被検者の体軸方向に対して直角方向に移動可能とした枠板（２２）上を被検者の体軸方向にスライドする天板（２１）か、のいずれかの天板を着脱可能に載置し、被検者の体軸方向に対して直交する方向に前記天板または／および枠板の移動を可能とする駆動手段（３４、３５）を備えた主枠（３１）と、を備えて成ることを特徴とするものである。
【０００６】
【発明の実施の形態】
以下、この発明の具体的実施の形態について図面を参照しながら説明する。
図１（Ａ）は、この発明のＸ線透視撮影台を構成する天板部の側面図であり、図１（Ｂ）はその平面図である。天板１１の被検者の足元となる一方の端部（下部天板部とする）にはブラケット１２が固定され、該ブラケット１２にはラック１３が固定して取り付けられている。また、該天板１１の下面には、金具１４が固定され、該金具１４の下面には、摺動手段として、適宜間隔をおいた２つの垂直方向の軸回りにベアリング１５，１５が取り付けられている。更に、天板１１の被検者の頭部となる他端部（上部天板部とする）の下面には（Ｌ字型の）ブラケット１７の（一方）が固定され、該ブラケット１７の（Ｌ字型の他方の）側面には、水平方向の軸回りにベアリング１８が取り付けられている。
【０００７】
図２（Ａ）は、この発明のＸ線透視撮影台を構成する主枠部の側面図であり、図２（Ｂ）は図２（Ａ）のＱ矢視図である。この主枠３１の一方の端部（即ち、下部天板部側）には凸部３１ａが設けられ、該凸部３１ａの上面には、前記天板１１の下面の金具１４に取り付けられたベアリング１５，１５を嵌め入れる溝３２ａ，３２ｂを両側面に設けたレ−ル３２が設置されている。また、該主枠３１の他方の端部（即ち、上部天板部側）にも凸部３１ｂが設けられ、該凸部３１ｂの上面には、前記天板１１の下面に固定されたブラケット１７に取り付けられたベアリング１８を嵌め入れる溝３３ａを設けた断面コの字形のレ−ル３３が設置されている。更に、前記凸部３１ａの側面には前記ラック１３と噛合するピニオン３４が設置されているが、該ピニオン３４はモ−タ及び減速機構を備えた駆動装置３５により駆動される。
【０００８】
図３は、前記主枠３１の上に前記天板１１を組み込んだ状態の正面図である。  前記主枠３１の一方のレ−ル３２の溝３２ａ，３２ｂには、天板１１の金具１４に取り付けたベアリング１５，１５を嵌め入れ、他方のコの字形のレ−ル３３の溝３３ａにはブラケット１７の側面に取り付けたベアリング１８を嵌め入れ、また、主枠３１の凸部３１ａに設置したピニオン３４は天板１１の一方のブラケット１２に固定したラック１３に噛合させる。このように主枠３１に天板１１を着脱可能に載置すると、前記天板１１は、その上下方向（体軸方向）の移動が規制され（移動不可となり）、駆動装置３５により左右動のみが可能となる。即ち、この天板１１は、２ｗａｙｓ方式の天板となる。
【０００９】
図４（Ａ）は、この発明のＸ線透視撮影台を構成する別個の天板部の正面図であり、図４（Ｂ）はその平面図であり、図４（Ｃ）は図４（Ｂ）のＡ−Ａ矢視図である。また、図５は図４（Ｃ）のＰ部拡大図である。
別個の天板２１の下面の左右方向（体軸に対して直交する方向）の端部には、枠板２２，２２が取り付けられるが、この場合、天板２１の下面左右方向端部には、ガイド２１ａ，２１ａがそれぞれの両端部に固定して設けられると共に枠板２２，２２側の天板２１と接する面にはレ−ル２２ａが設けられている。即ち、天板２１は枠板２２，２２に対しスライド可能となっている。そして該枠板２２、２２の（一方の側の）下部には、ブラケット１２が固定され、該ブラケット１２にはラック１３が固定して取り付けられている。また、該ブラケット１２には、摺動手段としてのベアリング１５，１５を取り付けた金具１４が固定されている。更に、枠板２２、２２の（他方の側の）上部には、ブラケット１６が固定され、該ブラケット１６側面にもベアリング１８が取り付けられている。
【００１０】
次に、前記（一方の側の）枠板２２、２２の下部には、前記ベアリング１５，１５の内側寄りにモ−タ２４と減速機２５とが取り付けられ、該モ−タ２４のプ−リ２４ｐから減速機２５のプ−リ２５ｐにベルト２６により駆動力が伝達される。該減速機２５の上部に設けた出力軸にはスプロケット２７が取り付けられている。一方、（他方の側の）枠板２２、２２の上部の側面にはアイドラ用のスプロケット２８が設置されている。そしてこれら下部側の減速機２５のスプロケット２７と上部側のスプロケット２８との間にはチェ−ン２９が巻装してある。また、該チェ−ン２９の一部は、天板２１の下面に固定したブラケット３０に固定されている。即ち、該天板２１は、モ−タ２４によって駆動されるチェ−ン２９の移動と共に一体に枠板２２、２２のガイド２１ａ，２１ａに案内されてレール２２ａ，２２ａ上をスライドして移動すようになっている。
【００１１】
図６は、前記主枠３１の上に前記天板２１を組み込んだ状態の正面図である。  前記主枠３１の一方の凸部３１ａの上面に設けたレ−ル３２の溝３２ａ，３２ｂには、前記天板２１をスライド可能に支持する枠板２２，２２のブラケット１２に固定して設けた金具１４に取り付けたベアリング１５，１５を嵌め入れ、他方のコの字形のレ−ル３３の溝３３ａにはブラケット１６の側面に取り付けたベアリング１８を嵌め入れ、主枠３１の凸部３１ａに設置したピニオン３４は、枠板２２の下部側の前記ブラケット１２に固定して設けたラック１３に噛合させてある。また、枠板２２の下部に固定されたブラケット１６に取り付けられたベアリング１８は主枠３１の凸部３１ｂの上面に設けたコの字形のレ−ル３３の溝３３ａに嵌め入れてある。このようにして、主枠３１に図４に示す別個の天板２１を載置すると、該天板２１は、モ−タ２４の駆動により枠板２２，２２上を上下方向にスライドさせることが可能となり、更に、主枠３１に設けた駆動装置３５により該天板２１及び枠板２２，２２等全体を左右方向に移動させることができる。即ち、この天板２１は４ｗａｙｓ方式の天板となる。
【００１２】
この発明のＸ線透視撮影台の構成は以上のように、主枠３１と、該主枠３１に着脱可能な左右方向のみ移動可能な天板１１と、同じく該主枠３１に着脱可能で、上下方向に移動させることのできる天板２１と、左右方向に移動させることのできる枠板２２，２２と、を備えている。従って、Ｘ線撮影に際して左右方向のみの撮影が必要な場合には、天板１１を主枠３１に装着して使用すればよいし、上下・左右方向の撮影が必要な場合には、天板２１を設けた枠板２２を主枠３１に装着して使用すればよい。なお、２ｗａｙｓである天板１１は、上下駆動系がない分だけ広い範囲が移動可能となっており、上下動がない部分を補うことができる。
【００１３】
上記実施例においては、天板ないし枠板の下部側にブラケット１２やラック１３或いはベアリング１５，１５、駆動モ−タ２４や減速機２５の駆動用スプロケット２７等を配置し、上部側にベアリング１８或いはアイドラ用スプロケット２８等を配置したが、勿論逆に、天板１１の上部側にブラケット１２やラック１３やベアリング１５，１５を設けた金具１４を固定すると共に、主枠３１の凸部３１ｂ側にレ−ル３２やピニオン３４や駆動装置３５を設け、凸部３１ａ側にレ−ル３３等を設けるようにしてもよい。或いは、枠板２２の上部側にブラケット１２やラック１３或いはベアリング１５，１５、駆動モ−タ２４や減速機２５の駆動用スプロケット２７等を配置し、下部側にベアリング１８或いはアイドラ用スプロケット２８等を配置すると共に、主枠３１の凸部３１ｂ側にレ−ル３２やピニオン３４や駆動装置３５を設け、凸部３１ａ側にレ−ル３３等を設けるようにしてもよい。更に、天板１１や天板２１を支持する枠板２２に左右動の駆動装置３５を設けてもよいし、上下動の駆動用モ−タ２４や減速機２５等も天板２１側に設けるように工夫しもよい。また、前記ブラケット１２やラック１３或いは枠板２２やモ−タ２４や減速機２５やレ−ル３２、３３等は天板１１、２１の上記実施例で示した場合に対してそれぞれ９０度角度を変えて設けてもよい。
【００１４】
【発明の効果】
以上詳述したように、この発明のＸ線透視撮影台によれば、主枠等の本体構造側を共通化し、天板側を交換するだけで２ｗａｙｓ方式又は４ｗａｙｓ方式のいずれかに交換可能とすることができるので、機種を多種類用意する必要がなくなり、それだけ装置のコストを低減することができる。また、天板上下駆動部を左右駆動部に対して内側に配置しているので、２ｗａｙｓの場合、天板の上下動が不要な分だけそのスペ−スを開け、その開いたスペ−スを映像系の可動範囲としてワイドな診断領域を確保することができる。更に、天板の入替えだけで２ｗａｙｓ方式と４ｗａｙｓ方式へ変更することができるので、装置のグレ−ドアップを簡易に且つ安価に行うことができる。
【図面の簡単な説明】
【図１】  図１（Ａ）は、この発明のＸ線透視撮影台を構成する天板部の側面図であり、図１（Ｂ）はその平面図である。
【図２】  図２（Ａ）は、この発明のＸ線透視撮影台を構成する主枠部の側面図であり、図２（Ｂ）は図２（Ａ）のＰ矢視図である。
【図３】  この発明のＸ線透視撮影台を構成する主枠の上に２ｗａｙｓ用天板を組み込んだ状態の側面図である。
【図４】  図４（Ａ）は、この発明のＸ線透視撮影台を構成する別個の天板部の側面図であり、図４（Ｂ）はその平面図であり、図４（Ｃ）は正面図である。
【図５】  図４（Ｃ）のＰ部拡大図である。
【図６】  この発明のＸ線透視撮影台を構成する主枠の上に４ｗａｙｓ用天板を組み込んだ状態の正面図である。
【図７】  図７（Ａ）は、従来のＸ線透視撮影台の正面図であり、図７（Ｂ）は、側面図である。
【図８】  従来のＸ線透視撮影台の天板の平面図である。
【符号の説明】
１１  天板
１３  ラック
１４  金具
１５  ベアリング
１８  ベアリング
２１  天板
２２  枠板
２４  モ−タ
２５  減速機
２７  スプロケット
２８  スプロケット
２９  チェ−ン
３１  主枠
３２  レ−ル
３３  レ−ル
３４  ピニオン
３５  駆動装置
【図１】
0003765158.tif 000002
【図２】
0003765158.tif 000003
【図３】
0003765158.tif 000004
【図４】
0003765158.tif 000005
【図５】
0003765158.tif 000006
【図６】
0003765158.tif 000007
【図７】
0003765158.tif 000008
【図８】
0003765158.tif 000009